【事件の表示】
　特願２０１５−５４４３１８「ＬＥＤディスプレイ」拒絶査定不服審判事件〔平成２６年　６月　５日国際公開、ＷＯ２０１４／０８２４３５、平成２８年　２月２５日国内公表、特表２０１６−５０５８８１〕について、次のとおり審決する。
【結　論】
　本件審判の請求は、成り立たない。
【理　由】
第１　手続の経緯
　本願は、平成２５年５月３１日（パリ条約による優先権主張外国庁受理　２０１２年１１月２９日、中国）を国際出願日とする出願であって、平成２９年３月２日付けで拒絶理由が通知され、平成２９年６月１２日に手続補正がなされたが、平成２９年６月３０日付けで拒絶査定がなされ（送達日：平成２９年７月７日）、これに対し平成２９年１１月７日に拒絶査定不服審判が請求され、同時に手続補正がなされたものである。
第２  平成２９年１１月７日にされた手続補正についての補正却下の決定
［結論］平成２９年１１月７日にされた手続補正（以下、「本件補正」という。）を却下する。
［理由］
１　補正の内容
（１）本件補正後の特許請求の範囲の記載
　本件補正により、特許請求の範囲の請求項１の記載は、次のとおり補正された（下線部は補正箇所である。）。
「【請求項１】
  ＬＥＤ表示パネルと、
  スイッチ回路と給電制御回路を含む制御回路とを有する表示駆動回路と、
  を備え、
  ここで、
  前記スイッチ回路は、ソースがそれぞれ第１の給電装置の電源端子に接続し、ドレンがそれぞれ前記ＬＥＤ表示パネルにおける対応する行のすべてのＬＥＤ粒子の中のレッドランプの陽極に接続し、ゲートがそれぞれ給電制御ポートにおける対応する配線端子に接続し、前記ＬＥＤ表示パネルのレッドランプの給電を制御する１つまたは複数の電界効果トランジスタを備える第１のサブスイッチ回路と、ソースがそれぞれ第２の給電装置の電源端子に接続し、ドレンがそれぞれ前記ＬＥＤ表示パネルにおける対応する行のすべての前記ＬＥＤ粒子の中のグリーンランプとブルーランプの陽極に接続し、ゲートがそれぞれ前記給電制御ポートにおける対応する配線端子に接続し、前記ＬＥＤ表示パネルの前記グリーンランプと前記ブルーランプの給電を制御する１つまたは複数の電界効果トランジスタを備える第２のサブスイッチ回路とを含み、前記ＬＥＤ表示パネルに対する給電を制御し、
  前記給電制御回路は、前記給電制御ポートにより前記スイッチ回路の第３端子に接続し、前記スイッチ回路のオンやオフを制御し、
　前記第１の給電装置と前記第２の給電装置がそれぞれ前記第１のサブスイッチ回路と前記第２のサブスイッチ回路に対して異なる作業電圧を提供
し、
　
前記スイッチ回路と前記制御回路とを前記表示駆動回路に集積させ
（２）本件補正前の特許請求の範囲
　本件補正前の、平成２９年６月１２日になされた手続補正により補正された特許請求の範囲の請求項１の記載は次のとおりである。
「【請求項１】
  ＬＥＤ表示パネルと、
  スイッチ回路と給電制御回路を含む制御回路とを有する表示駆動回路と、
  を備え、
  ここで、
  前記スイッチ回路は、ソースがそれぞれ第１の給電装置の電源端子に接続し、ドレンがそれぞれ前記ＬＥＤ表示パネルにおける対応する行のすべてのＬＥＤ粒子の中のレッドランプの陽極に接続し、ゲートがそれぞれ給電制御ポートにおける対応する配線端子に接続し、前記ＬＥＤ表示パネルのレッドランプの給電を制御する１つまたは複数の電界効果トランジスタを備える第１のサブスイッチ回路と、ソースがそれぞれ第２の給電装置の電源端子に接続し、ドレンがそれぞれ前記ＬＥＤ表示パネルにおける対応する行のすべての前記ＬＥＤ粒子の中のグリーンランプとブルーランプの陽極に接続し、ゲートがそれぞれ前記給電制御ポートにおける対応する配線端子に接続し、前記ＬＥＤ表示パネルの前記グリーンランプと前記ブルーランプの給電を制御する１つまたは複数の電界効果トランジスタを備える第２のサブスイッチ回路とを含み、前記ＬＥＤ表示パネルに対する給電を制御し、
  前記給電制御回路は、前記給電制御ポートにより前記スイッチ回路の第３端子に接続し、前記スイッチ回路のオンやオフを制御し、
　前記第１の給電装置と前記第２の給電装置がそれぞれ前記第１のサブスイッチ回路と前記第２のサブスイッチ回路に対して異なる作業電圧を提供することを特徴とするＬＥＤディスプレイ。」
２　補正の適否
　上記補正は、補正前の「スイッチ回路と給電制御回路を含む制御回路とを有する表示駆動回路」について、「前記スイッチ回路と前記制御回路とを前記表示駆動回路に集積させる」との限定を付加するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　そこで、本件補正後の前記請求項１に記載された発明（以下、「本件補正発明」という。）が特許出願の際独立して特許を受けることができるものであるか（特許法第１７条の２第６項において準用する同法第１２６条第７項の規定に適合するか）について以下に検討する。
（１）本件補正発明
　本件補正発明は、上記１（１）に記載したとおりのものである。
（２）引用例の記載事項
ア　引用例１
（ア）原査定の拒絶の理由で引用された、本願の優先日前に頒布された刊行物である、特開２００２−２４４６１９号公報（平成１４年８月３０日出願公開。以下、「引用例１」という。）には、図面とともに次の記載がある（下線は、当審で付与した。）。
「【０００１】
【発明の属する技術分野】本発明は、ＬＥＤ表示装置の駆動回路に関し、特に、ドライバーや電源回路の数の削減と、画質の劣化の防止とを図ったものに関する。」
「【０００２】
【従来の技術】
赤色のＬＥＤ（発光ダイオード）と緑色のＬＥＤと青色のＬＥＤとで１つの絵素を構成し、
複数の絵素Ｐ１１〜Ｐｎｍをマトリクス状に配列した
【０００３】従来、この
フルカラーＬＥＤ表示装置
「【０００９】各絵素Ｐ１１〜Ｐｎｍの緑色ＬＥＤのアノードと青色ＬＥＤのアノードには、
電圧Ｖ１の電源回路２４
電圧Ｖ１よりも低い
電圧Ｖ２の電源回路２５
「【００１２】他方、１／２デューティ−駆動方式は、インターレース方式でＬＥＤを駆動し、
奇数フィールドの絵素のＬＥＤと偶数フィールドの絵素のＬＥＤとに共通のドライバーを設けるものである。
【００１３】図６は、図４のように絵素Ｐ１１〜Ｐｎｍを配列したフルカラーＬＥＤ表示装置における１／２デューティ−駆動方式の
駆動回路
画面上で上から奇数番目の列の絵素Ｐ１１〜Ｐ１ｍ，Ｐ３１〜Ｐ３ｍ，…Ｐ（ｎ−１）１〜Ｐ（ｎ−１）ｍは奇数フィールドの絵素になり、画面上で上から偶数番目の列の絵素Ｐ２１〜Ｐ２ｍ，Ｐ４１〜Ｐ４ｍ，…Ｐｎ１〜Ｐｎｍは偶数フィールドの絵素になる（但しここではｎは偶数とする）。
「【００２０】
奇数フィールドの各絵素の緑色ＬＥＤのアノードと青色ＬＥＤのアノードには、１入力２出力の切換回路３４の一方の出力端ｏ１が接続されており、偶数フィールドの各絵素の緑色ＬＥＤのアノードと青色ＬＥＤのアノードには、この切換回路３４の残りの一方の出力端ｏ２が接続されている。切換回路３４の入力端には、
電源回路２４が接続されている。
【００２１】
奇数フィールドの各絵素の赤色ＬＥＤのアノードには、１入力２出力の切換回路３５の一方の出力端ｏ１が接続されており、偶数フィールドの各絵素の赤色ＬＥＤのアノードには、この切換回路３５の残りの一方の出力端ｏ２が接続されている。切換回路３５の入力端には、
電源回路２５が接続されている。
【００２２】
切換回路３４及び３５には、奇数フィールド表示時，偶数フィールド表示時に入力端をそれぞれ出力端ｏ１，ｏ２に接続させる制御信号
が与えられる。
【００２３】
奇数フィールド表示時には、この制御信号に基づいて切換回路３４，３５の入力端がそれぞれ出力端ｏ１に接続されることにより、奇数フィールドの各絵素の緑色ＬＥＤ及び青色ＬＥＤに電源電圧Ｖ１が供給されるとともに、奇数フィールドの各絵素の赤色ＬＥＤに電源電圧Ｖ２が供給される。
【００２４】したがって、奇数フィールド表示時には、奇数フィールドの絵素の赤色ＬＥＤ，緑色ＬＥＤ及び青色ＬＥＤに表示信号（奇数フィールドの絵素位置での表示信号）及び電源電圧が供給されるので、奇数フィールドの絵素の赤色ＬＥＤ，緑色ＬＥＤ及び青色ＬＥＤが駆動される。
【００２５】
他方、偶数フィールド表示時には、この制御信号に基づいて切換回路３４，３５の入力端がそれぞれ出力端ｏ２に接続されることにより、偶数フィールドの各絵素の緑色ＬＥＤ及び青色ＬＥＤに電源電圧Ｖ１が供給されるとともに、偶数フィールドの各絵素の赤色ＬＥＤに電源電圧Ｖ２が供給される。
【００２６】したがって、偶数フィールド表示時には、偶数フィールドの絵素の赤色ＬＥＤ，緑色ＬＥＤ及び青色ＬＥＤに表示信号（偶数フィールドの絵素位置での表示信号）及び電源電圧が供給されるので、偶数フィールドの絵素の赤色ＬＥＤ，緑色ＬＥＤ及び青色ＬＥＤが駆動される。
【００２７】このようにして、各絵素Ｐ１１〜Ｐｎｍの赤色ＬＥＤ，緑色ＬＥＤ及び青色ＬＥＤがインターレース方式で駆動される。
【００２８】ここでも、
電源回路２４とは別に電源回路２５を設ける理由は、緑色ＬＥＤや青色ＬＥＤに供給するのと同じ高さの電源電圧を赤色ＬＥＤに供給すると
不必要な高さの電源電圧を赤色ＬＥＤに供給することになってしまって非効率的だからである。
「【００５２】切換回路２は、入力端ｉと出力端ｏ１とを結ぶ信号線上に、ソース，ドレインがそれぞれこの信号線に接続されたスイッチ素子（一例としてＦＥＴ）６とダイオード９とを設け、入力端ｉと出力端ｏ２とを結ぶ信号線上に、ソース，ドレインがそれぞれこの信号線に接続されたスイッチ素子（ＦＥＴ）７を設け、入力端ｉと出力端ｏ３とを結ぶ信号線上に、ソース，ドレインがそれぞれこの信号線に接続されたスイッチ素子（ＦＥＴ）８を設けたものである。」
（イ）上記記載から、引用例１には、次の技術事項が記載されている。
ａ　引用例１に記載された技術は、赤色のＬＥＤ（発光ダイオード）と緑色のＬＥＤと青色のＬＥＤとで１つの絵素を構成し、複数の絵素Ｐ１１〜Ｐｎｍをマトリクス状に配列した（【０００２】）フルカラーＬＥＤ表示装置（【０００３】）に関するものである。
ｂ　奇数フィールドの絵素のＬＥＤと偶数フィールドの絵素のＬＥＤとに共通のドライバーを設けるものである（【００１２】）。
ｃ　駆動回路は、画面上で上から奇数番目の列の絵素Ｐ１１〜Ｐ１ｍ，Ｐ３１〜Ｐ３ｍ，…Ｐ（ｎ−１）１〜Ｐ（ｎ−１）ｍは奇数フィールドの絵素になり、画面上で上から偶数番目の列の絵素Ｐ２１〜Ｐ２ｍ，Ｐ４１〜Ｐ４ｍ，…Ｐｎ１〜Ｐｎｍは偶数フィールドの絵素になる（但しここではｎは偶数とする）（【００１３】）。
ｄ　奇数フィールドの各絵素の緑色ＬＥＤのアノードと青色ＬＥＤのアノードには、１入力２出力の切換回路３４の一方の出力端ｏ１が接続されており、偶数フィールドの各絵素の緑色ＬＥＤのアノードと青色ＬＥＤのアノードには、この切換回路３４の残りの一方の出力端ｏ２が接続され、切換回路３４の入力端には、電源回路２４が接続されている（【００２０】）。
ｅ　奇数フィールドの各絵素の赤色ＬＥＤのアノードには、１入力２出力の切換回路３５の一方の出力端ｏ１が接続されており、偶数フィールドの各絵素の赤色ＬＥＤのアノードには、この切換回路３５の残りの一方の出力端ｏ２が接続され、切換回路３５の入力端には、電源回路２５が接続されている（【００２１】）。
ｆ　切換回路３４及び３５には、奇数フィールド表示時，偶数フィールド表示時に入力端をそれぞれ出力端ｏ１，ｏ２に接続させる制御信号が与えられる（【００２２】）。
ｇ　奇数フィールド表示時には、この制御信号に基づいて切換回路３４，３５の入力端がそれぞれ出力端ｏ１に接続されることにより、奇数フィールドの各絵素の緑色ＬＥＤ及び青色ＬＥＤに電源電圧Ｖ１が供給されるとともに、奇数フィールドの各絵素の赤色ＬＥＤに電源電圧Ｖ２が供給される（【００２３】）。
ｈ　他方、偶数フィールド表示時には、この制御信号に基づいて切換回路３４，３５の入力端がそれぞれ出力端ｏ２に接続されることにより、偶数フィールドの各絵素の緑色ＬＥＤ及び青色ＬＥＤに電源電圧Ｖ１が供給されるとともに、偶数フィールドの各絵素の赤色ＬＥＤに電源電圧Ｖ２が供給される（【００２５】）。
ｉ　（緑色ＬＥＤのアノードと青色ＬＥＤのアノードが接続されている）電源回路２４の電圧Ｖ１よりも、（赤色ＬＥＤのアノードが接続されている）電源回路２５の電圧Ｖ２が低い（【０００９】）。
（ウ）これらのことから、引用例１には、従来の技術として、次の発明（以下、「引用発明」という。）が記載されていると認められる。
「赤色のＬＥＤ（発光ダイオード）と緑色のＬＥＤと青色のＬＥＤとで１つの絵素を構成し、複数の絵素Ｐ１１〜Ｐｎｍをマトリクス状に配列した、フルカラーＬＥＤ表示装置において、
　奇数フィールドの絵素のＬＥＤと偶数フィールドの絵素のＬＥＤとに共通のドライバーを設け、
　画面上で上から奇数番目の列の絵素Ｐ１１〜Ｐ１ｍ，Ｐ３１〜Ｐ３ｍ，…Ｐ（ｎ−１）１〜Ｐ（ｎ−１）ｍは奇数フィールドの絵素になり、画面上で上から偶数番目の列の絵素Ｐ２１〜Ｐ２ｍ，Ｐ４１〜Ｐ４ｍ，…Ｐｎ１〜Ｐｎｍは偶数フィールドの絵素になり（但しここではｎは偶数とする）、
　奇数フィールドの各絵素の緑色ＬＥＤのアノードと青色ＬＥＤのアノードには、１入力２出力の切換回路３４の一方の出力端ｏ１が接続されており、偶数フィールドの各絵素の緑色ＬＥＤのアノードと青色ＬＥＤのアノードには、この切換回路３４の残りの一方の出力端ｏ２が接続され、切換回路３４の入力端には、電源回路２４が接続され、奇数フィールドの各絵素の赤色ＬＥＤのアノードには、１入力２出力の切換回路３５の一方の出力端ｏ１が接続されており、偶数フィールドの各絵素の赤色ＬＥＤのアノードには、この切換回路３５の残りの一方の出力端ｏ２が接続され、切換回路３５の入力端には、電源回路２５が接続され、
　切換回路３４及び３５には、奇数フィールド表示時，偶数フィールド表示時に入力端をそれぞれ出力端ｏ１，ｏ２に接続させる制御信号が与えられ、奇数フィールド表示時には、この制御信号に基づいて切換回路３４，３５の入力端がそれぞれ出力端ｏ１に接続されることにより、奇数フィールドの各絵素の緑色ＬＥＤ及び青色ＬＥＤに電源電圧Ｖ１が供給されるとともに、奇数フィールドの各絵素の赤色ＬＥＤに電源電圧Ｖ２が供給され、他方、偶数フィールド表示時には、この制御信号に基づいて切換回路３４，３５の入力端がそれぞれ出力端ｏ２に接続されることにより、偶数フィールドの各絵素の緑色ＬＥＤ及び青色ＬＥＤに電源電圧Ｖ１が供給されるとともに、偶数フィールドの各絵素の赤色ＬＥＤに電源電圧Ｖ２が供給され、
　電源回路２４の電圧Ｖ１よりも電源回路２５の電圧Ｖ２が低い、
フルカラーＬＥＤ表示装置。」
（３）引用発明との対比
ア　本件補正発明と引用発明とを対比する。
（ア）引用発明の「フルカラーＬＥＤ表示装置」における、「赤色のＬＥＤ（発光ダイオード）と緑色のＬＥＤと青色のＬＥＤとで１つの絵素を構成し、複数の絵素Ｐ１１〜Ｐｎｍをマトリクス状に配列した」ものは、パネル状であることは明らかであるから、本件補正発明における「ＬＥＤ表示パネル」に相当する。
（イ）引用発明における「切換回路３４及び３５」が、本件補正発明における「スイッチ回路」に相当する。
（ウ）引用発明における「切換回路３４及び３５」には「制御信号が与えられ」、「この制御信号に基づいて」、「電源回路２４」から「各絵素」に「電源電圧Ｖ１が供給され」、また「電源回路２５」から「各絵素」に「電源電圧Ｖ２が供給され」ているから、引用発明における「電源回路２４」及び「電源回路２５」と、「切換回路３４及び３５」に「制御信号」を「与え」る回路とが、本件補正発明における「給電制御回路」に相当し、引用発明におけるこれらを含む回路が、本件補正発明における「給電制御回路を含む制御回路」に相当するといえる。
（エ）引用発明における「切換回路３４及び３５」（上記「（イ）」のとおり、本件補正発明における「スイッチ回路」に相当する。）と、「電源回路２４」及び「電源回路２５」と、「切換回路３４及び３５」に「制御信号」を「与え」る回路とを含む回路（上記「（ウ）」のとおり、本件補正発明における「給電制御回路を含む制御回路」に相当する。）とは、「各絵素」を駆動する回路を構成しているから、本件補正発明における「スイッチ回路と給電制御回路を含む制御回路とを有する表示駆動回路」に相当するといえる。
（オ）引用発明における「１入力２出力の」「切換回路３５」と、本件補正発明における「ソースがそれぞれ第１の給電装置の電源端子に接続し、ドレンがそれぞれ前記ＬＥＤ表示パネルにおける対応する行のすべてのＬＥＤ粒子の中のレッドランプの陽極に接続し、ゲートがそれぞれ給電制御ポートにおける対応する配線端子に接続し、前記ＬＥＤ表示パネルのレッドランプの給電を制御する１つまたは複数の電界効果トランジスタを備える第１のサブスイッチ回路」とを対比すると、
ａ　引用発明における、「切換回路３５」の「入力端」が接続される「電源回路２５」の端子が、本件補正発明における「第１の給電装置の電源端子」に相当する。
　引用発明における「切換回路３５」の「入力端」が「電源回路２５」の端子に接続していることと、本件補正発明における「ソースがそれぞれ第１の給電装置の電源端子に接続し」ていることとは、「入力端が第１の給電装置の電源端子に接続し」ている点で共通する。
ｂ　引用発明では「画面上で上から奇数番目の列の絵素Ｐ１１〜Ｐ１ｍ，Ｐ３１〜Ｐ３ｍ，…Ｐ（ｎ−１）１〜Ｐ（ｎ−１）ｍは奇数フィールドの絵素になり、画面上で上から偶数番目の列の絵素Ｐ２１〜Ｐ２ｍ，Ｐ４１〜Ｐ４ｍ，…Ｐｎ１〜Ｐｎｍは偶数フィールドの絵素にな」っている。
　引用発明において「切換回路３５の一方の出力端ｏ１」が「奇数フィールドの各絵素の赤色ＬＥＤのアノード」に「接続され」、「この切換回路３５の残りの一方の出力端ｏ２」が「偶数フィールドの各絵素の赤色ＬＥＤのアノード」に「接続され」ることは、引用文献１の図６に示されているとおり、「切換回路３５の一方の出力端ｏ１」が（「奇数フィールド」に対応するすべての）
行のすべての
行のすべての
ｃ　引用発明において、「切換回路３４」及び「切換回路３５」に「制御信号」を「与え」る回路の出力ポートが、本件補正発明でいう「給電制御ポート」に相当する。
　そして、引用発明において、制御信号が与えられる「切換回路３５」の端子に、「制御信号」を「与え」る回路の出力ポートのうちで「切換回路３５」に「制御信号」を「与え」る端子が接続されていることと、本件補正発明における「ゲートがそれぞれ給電制御ポートにおける対応する配線端子に接続し」ていることとは、「制御信号が与えられる端子が、給電制御ポートにおける対応する配線端子に接続し」ている点で共通するといえる。
ｄ　引用発明の「切換回路３５」は、「奇数フィールド表示時，偶数フィールド表示時に入力端をそれぞれ出力端ｏ１，ｏ２に接続させる制御信号が与えられ」、「奇数フィールド表示時には、この制御信号に基づいて切換回路」「３５の入力端がそれぞれ出力端ｏ１に接続されることにより」、「奇数フィールドの各絵素の赤色ＬＥＤに電源電圧Ｖ２が供給され」、「他方、偶数フィールド表示時には、この制御信号に基づいて切換回路」「３５の入力端がそれぞれ出力端ｏ２に接続されることにより」、「偶数フィールドの各絵素の赤色ＬＥＤに電源電圧Ｖ２が供給される」から、本件補正発明における「前記ＬＥＤ表示パネルのレッドランプの給電を制御する１つまたは複数の電界効果トランジスタを備える第１のサブスイッチ回路」とは、「前記ＬＥＤ表示パネルのレッドランプの給電を制御する回路を備える第１のサブスイッチ回路」の点で共通する。
（カ）引用発明における「１入力２出力の」「切換回路３４」と、本件補正発明における「ソースがそれぞれ第２の給電装置の電源端子に接続し、ドレンがそれぞれ前記ＬＥＤ表示パネルにおける対応する行のすべての前記ＬＥＤ粒子の中のグリーンランプとブルーランプの陽極に接続し、ゲートがそれぞれ前記給電制御ポートにおける対応する配線端子に接続し、前記ＬＥＤ表示パネルの前記グリーンランプと前記ブルーランプの給電を制御する１つまたは複数の電界効果トランジスタを備える第２のサブスイッチ回路」とを対比すると、
ａ　引用発明における、「切換回路３４」の「入力端」が接続される「電源回路２４」の端子が、本件補正発明における「第２の給電装置の電源端子」に相当する。
　よって、引用発明における「切換回路３４」の「入力端」が「電源回路２４」の端子に接続していることと、本件補正発明における「ソースがそれぞれ第２の給電装置の電源端子に接続し」ていることとは、「入力端が第２の給電装置の電源端子に接続し」ている点で共通する。
ｂ　引用発明では「画面上で上から奇数番目の列の絵素Ｐ１１〜Ｐ１ｍ，Ｐ３１〜Ｐ３ｍ，…Ｐ（ｎ−１）１〜Ｐ（ｎ−１）ｍは奇数フィールドの絵素になり、画面上で上から偶数番目の列の絵素Ｐ２１〜Ｐ２ｍ，Ｐ４１〜Ｐ４ｍ，…Ｐｎ１〜Ｐｎｍは偶数フィールドの絵素にな」っている。
　引用発明における、「切換回路３４の一方の出力端ｏ１」が「奇数フィールドの各絵素の緑色ＬＥＤのアノードと青色ＬＥＤのアノード」に「接続され」、「この切換回路３４の残りの一方の出力端ｏ２」が「偶数フィールドの各絵素の緑色ＬＥＤのアノードと青色ＬＥＤのアノード」に「接続され」ることは、引用文献１の図６に示されているとおり、「切換回路３４の一方の出力端ｏ１」が（「奇数フィールド」に対応するすべての）
行のすべての
行のすべての
ｃ　上記「（オ）」「ｃ」で述べたとおり、引用発明において、「切換回路３４」及び「切換回路３５」に「制御信号」を「与え」る回路の出力ポートが、本件補正発明でいう「給電制御ポート」に相当する。
　そして、引用発明において、制御信号が与えられる「切換回路３４」の端子に、「制御信号」を「与え」る回路の出力ポートのうちで「切換回路３４」に「制御信号」を「与え」る端子が接続されていることと、本件補正発明における「ゲートがそれぞれ前記給電制御ポートにおける対応する配線端子に接続し」ていることとは、「制御信号が与えられる端子が、前記給電制御ポートにおける対応する配線端子に接続し」ている点で共通するといえる。
ｄ　引用発明の「切換回路３４」は、「奇数フィールド表示時，偶数フィールド表示時に入力端をそれぞれ出力端ｏ１，ｏ２に接続させる制御信号が与えられ」、「奇数フィールド表示時には、この制御信号に基づいて切換回路３４」「の入力端がそれぞれ出力端ｏ１に接続されることにより、奇数フィールドの各絵素の緑色ＬＥＤ及び青色ＬＥＤに電源電圧Ｖ１が供給され」、「他方、偶数フィールド表示時には、この制御信号に基づいて切換回路３４」「の入力端がそれぞれ出力端ｏ２に接続されることにより、偶数フィールドの各絵素の緑色ＬＥＤ及び青色ＬＥＤに電源電圧Ｖ１が供給される」から、本件補正発明における「前記ＬＥＤ表示パネルの前記グリーンランプと前記ブルーランプの給電を制御する１つまたは複数の電界効果トランジスタを備える第２のサブスイッチ回路」とは、「前記ＬＥＤ表示パネルの前記グリーンランプと前記ブルーランプの給電を制御する回路を備える第２のサブスイッチ回路」の点で共通する。
（キ）引用発明において「切換回路３４及び３５」が、「奇数フィールド表示時，偶数フィールド表示時に入力端をそれぞれ出力端ｏ１，ｏ２に接続させる制御信号が与えられ」、「この制御信号に基づいて」「各絵素の緑色ＬＥＤ及び青色ＬＥＤに電源電圧Ｖ１」「が供給されるとともに、各絵素の赤色ＬＥＤに電源電圧Ｖ２が供給され」ることが、本件補正発明における「前記スイッチ回路は」、「前記ＬＥＤ表示パネルに対する給電を制御」することに相当する。
（ク）引用発明において、「切換回路３４及び３５」における「制御信号が与えられ」る端子が、本件補正発明における「前記スイッチ回路の第３端子」に相当する。
（ケ）上記「（オ）」「ｃ」及び「（カ）」「ｃ」を踏まえると、引用発明における「切換回路３４及び３５には、奇数フィールド表示時，偶数フィールド表示時に入力端をそれぞれ出力端ｏ１，ｏ２に接続させる制御信号が与えられ、奇数フィールド表示時には、この制御信号に基づいて切換回路３４，３５の入力端がそれぞれ出力端ｏ１に接続され」、「他方、偶数フィールド表示時には、この制御信号に基づいて切換回路３４，３５の入力端がそれぞれ出力端ｏ２に接続される」ことは、入力端と出力端ｏ１、及び、入力端と出力端ｏ２のそれぞれの接続がオンやオフに制御されていることに他ならないから、本件補正発明における、「前記給電制御回路は、前記給電制御ポートにより前記スイッチ回路の第３端子に接続し、前記スイッチ回路のオンやオフを制御」することに相当するといえる。
（コ）引用発明における 「切換回路３４の入力端には、電源回路２４が接続され」、「切換回路３５の入力端には、電源回路２５が接続され」、「電源回路２４の電圧Ｖ１よりも電源回路２５の電圧Ｖ２が低い」ことが、本件補正発明における「前記第１の給電装置と前記第２の給電装置がそれぞれ前記第１のサブスイッチ回路と前記第２のサブスイッチ回路に対して異なる作業電圧を提供」することに相当する。
 
イ　以上のことから、本件補正発明と引用発明との一致点及び相違点は、次のとおりである。
【一致点】
「 ＬＥＤ表示パネルと、
  スイッチ回路と給電制御回路を含む制御回路とを有する表示駆動回路と、
  を備え、
  ここで、
  前記スイッチ回路は、入力端が第１の給電装置の電源端子に接続し、出力端子がそれぞれ前記ＬＥＤ表示パネルにおける対応する行のすべてのＬＥＤ粒子の中のレッドランプの陽極に接続し、制御信号が与えられる端子が、給電制御ポートにおける対応する配線端子に接続している、前記ＬＥＤ表示パネルのレッドランプの給電を制御する回路を備える第１のサブスイッチ回路と、
　入力端が第２の給電装置の電源端子に接続し、出力端子がそれぞれ前記ＬＥＤ表示パネルにおける対応する行のすべての前記ＬＥＤ粒子の中のグリーンランプとブルーランプの陽極に接続し、制御信号が与えられる端子が、給電制御ポートにおける対応する配線端子に接続している、前記ＬＥＤ表示パネルの前記グリーンランプと前記ブルーランプの給電を制御する回路を備える第２のサブスイッチ回路とを含み、前記ＬＥＤ表示パネルに対する給電を制御し、
　前記給電制御回路は、前記給電制御ポートにより前記スイッチ回路の第３端子に接続し、前記スイッチ回路のオンやオフを制御し、
　前記第１の給電装置と前記第２の給電装置がそれぞれ前記第１のサブスイッチ回路と前記第２のサブスイッチ回路に対して異なる作業電圧を提供する、
ＬＥＤディスプレイ。」
【相違点１】
　本件補正発明では、
ア　第１のサブスイッチ回路及び第２のサブスイッチ回路が、それぞれ、「１つまたは複数の電界効果トランジスタ」を含み、
イ　第１のサブスイッチ回路では、該電界効果トランジスタの「ソース」がそれぞれ第１の給電装置の電源端子に接続され、「ゲート」がそれぞれ給電制御ポートにおける対応する配線端子に接続され、「ドレン」がそれぞれ前記ＬＥＤ表示パネルにおける対応する行のすべてのＬＥＤ粒子の中のレッドランプの陽極に接続し、
ウ　第２のサブスイッチ回路では、該電界効果トランジスタの「ソース」がそれぞれ第２の給電装置の電源端子に接続され、「ゲート」がそれぞれ給電制御ポートにおける対応する配線端子に接続され、「ドレン」がそれぞれ前記ＬＥＤ表示パネルにおける対応する行のすべての前記ＬＥＤ粒子の中のグリーンランプとブルーランプの陽極に接続しているのに対し、　
　引用発明では、
イ’「切換回路３５」の「入力端」が「電源回路２５」の端子に接続され、「切換回路３５の一方の出力端ｏ１」が（「奇数フィールド」に対応するすべての）
行のすべての
行のすべての
ウ’「切換回路３４」の「入力端」が「電源回路２４」の端子に接続され、「切換回路３４の一方の出力端ｏ１」が（「奇数フィールド」に対応するすべての）
行のすべての
行のすべての
　「切換回路３４」及び「切換回路３５」が具体的にどのような素子を含み、該素子のどの端子が、「電源回路」が接続される「入力端」、制御信号が与えられる端子、「ＬＥＤのアノード」が接続される「一方の出力端ｏ１」及び「残りの一方の出力端ｏ２」となるのか、示されていない点。
【相違点２】
　本件補正発明では、「前記スイッチ回路と前記制御回路とを前記表示駆動回路に集積させる」のに対し、引用発明では、「切換回路３４及び３５」、「電源回路２４」及び「電源回路２５」、及び「切換回路３４及び３５」に「制御信号」を「与え」る回路を含む回路を備え、これらの回路が「各絵素」を駆動する回路を構成しているものの、これらの回路がどのように配置されているか、示されていない点。
（４）判断
ア　相違点１について
　切換回路を複数のＦＥＴで作成すること、その際、ソースを、電源回路に接続される端子とし、ゲートを、制御端子とし、ドレインを、発光ダイオードのアノード（陽極）に接続される端子とすることは、例えば、引用例１の段落【００５２】及び図２に、従来の技術とは別の実施例の構成として記載されているように、当業者が適宜採用しうる構成である。
　よって、引用発明において、「切換回路３４」及び「切換回路３５」を、それぞれ複数のＦＥＴで作成し、複数のＦＥＴのそれぞれソースを、「電源回路２４」及び「電源回路２５」に接続される「入力端」の端子とし、複数のＦＥＴのそれぞれゲートを、制御信号が与えられる端子とし、複数のＦＥＴのそれぞれドレインを、「ＬＥＤのアノード」（陽極）が接続される「一方の出力端ｏ１」及び「残りの一方の出力端ｏ２」の端子として、上記相違点１に係る本件補正発明の構成とすることは、当業者が容易になし得たことである。
イ　相違点２について
　複数の回路を回路基板上でどのように配置するか（例えば、回路基板上のある箇所に集積的に配置する、あるいは基板周辺に分散して配置する等）は、設計的事項であるから、引用発明において、「切換回路３４及び３５」、「電源回路２４」及び「電源回路２５」、及び「切換回路３４及び３５」に「制御信号」を「与え」る回路を含む回路を、「各絵素」を駆動する回路として集積させて配置し、上記相違点２に係る本件補正発明の構成とすることは、当業者が容易になし得たことである。
ウ　そして、これらの相違点を総合的に勘案しても、本件補正発明の奏する作用効果は、引用発明、及び、当業者が適宜採用しうる構成の奏する作用効果から予測される範囲内のものに過ぎず、格別顕著なものということはできない。
エ　したがって、本件補正発明は、引用発明に基づいて、当業者が容易に発明をすることができたものであり、特許法第２９条第２項の規定により、特許出願の際独立して特許を受けることができないものである。
（５）本件補正についてのむすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
第３　本願発明について
１　本願発明
　本件補正は、上記のとおり却下されたので、本願の請求項１ないし１２に係る発明は、平成２９年６月１２日にされた手続補正により補正された特許請求の範囲の請求項１ないし１２に記載された事項により特定されるものであるところ、その請求項１に係る発明（以下、「本願発明」という。）は、その請求項１に記載された事項により特定される、前記第２［理由］１（２）に記載のとおりのものである。再掲すれば、次のとおり。
「　【請求項１】
  ＬＥＤ表示パネルと、
  スイッチ回路と給電制御回路を含む制御回路とを有する表示駆動回路と、
  を備え、
  ここで、
  前記スイッチ回路は、ソースがそれぞれ第１の給電装置の電源端子に接続し、ドレンがそれぞれ前記ＬＥＤ表示パネルにおける対応する行のすべてのＬＥＤ粒子の中のレッドランプの陽極に接続し、ゲートがそれぞれ給電制御ポートにおける対応する配線端子に接続し、前記ＬＥＤ表示パネルのレッドランプの給電を制御する１つまたは複数の電界効果トランジスタを備える第１のサブスイッチ回路と、ソースがそれぞれ第２の給電装置の電源端子に接続し、ドレンがそれぞれ前記ＬＥＤ表示パネルにおける対応する行のすべての前記ＬＥＤ粒子の中のグリーンランプとブルーランプの陽極に接続し、ゲートがそれぞれ前記給電制御ポートにおける対応する配線端子に接続し、前記ＬＥＤ表示パネルの前記グリーンランプと前記ブルーランプの給電を制御する１つまたは複数の電界効果トランジスタを備える第２のサブスイッチ回路とを含み、前記ＬＥＤ表示パネルに対する給電を制御し、
  前記給電制御回路は、前記給電制御ポートにより前記スイッチ回路の第３端子に接続し、前記スイッチ回路のオンやオフを制御し、
　前記第１の給電装置と前記第２の給電装置がそれぞれ前記第１のサブスイッチ回路と前記第２のサブスイッチ回路に対して異なる作業電圧を提供することを特徴とするＬＥＤディスプレイ。」
２　原査定の理由の概要
　平成２９年６月３０日付けでなされた原査定の概要は、次のとおりである。
「この出願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
●理由２（特許法第２９条第２項）について
・請求項　１−５，８−９，１２
・引用文献等　１
・請求項　６−７，１０−１１
・引用文献等　１−２
　　　　　　　　　　　　　＜引用文献等一覧＞
１．特開２００２−２４４６１９号公報
２．特開２０１１−２２１２６２号公報（周知技術を示す文献）」
３　引用例等
　原査定の拒絶の理由で引用された引用例１及びその記載事項は、前記第２の［理由］２（２）に記載したとおりである。
４　対比・判断
　本願発明は、前記第２の［理由］２で検討した本件補正発明から、「スイッチ回路と給電制御回路を含む制御回路とを有する表示駆動回路」に係る、「前記スイッチ回路と前記制御回路とを前記表示駆動回路に集積させる」との限定事項を削除したものである。
　そうすると、本願発明の発明特定事項を全て含み、さらに他の事項を付加したものに相当する本件補正発明が、前記第２の［理由］２（３）、（４）に記載したとおり、引用発明に基づいて当業者が容易に発明をすることができたものであるから、本願発明も同様の理由により、引用発明に基づいて、当業者が容易に発明をすることができたものである。
５　むすび
　以上のとおり、本願発明は、引用発明に基づいて、当業者が容易に発明をすることができたものであるから、特許法第２９条第２項の規定により特許を受けることができない。したがって、他の請求項に係る発明について検討するまでもなく、本願は拒絶されるべきものである。
　よって、結論のとおり審決する。